(57)【特許請求の範囲】
【請求項１】
照明負荷と、照明負荷による照明範囲内に設定された検知エリア内の人の存否を検出する人感センサと、別に設けたリモコン送信器からワイヤレス信号により伝送される少なくとも照明負荷の点灯・消灯を指示する操作情報を上記人感センサの出力に基づいて上記検知エリア内に人が存在すると判断される期間に受付可能とする制御部とを備えて成ることを特徴とする照明装置。
【請求項２】
照明負荷と、照明負荷による照明範囲内に設定された検知エリア内の人の存否を検出する人感センサと、別に設けたリモコン送信器からワイヤレス信号により伝送される複数種類の操作情報を判別する操作情報判別手段を備え少なくとも照明負荷の点灯・消灯を指示する操作情報を含む一部の操作情報を上記人感センサの出力に基づいて上記検知エリアに人が存在すると判断される期間に受付可能とする制御部とを備え、制御部は操作情報判別手段で規定した残りの操作情報を人感センサの出力とは無関係に受け付けることを特徴とする照明装置。
【請求項３】
上記制御部は、上記人感センサの出力に基づいて人が検知エリアに存在しなくなったと判断される時点から一定の受付可能期間を時限する受付タイマを備え、上記人感センサの出力に基づいて上記検知エリアに人が存在すると判断される期間に加えて上記受付可能期間にも上記操作情報を受付可能とすることを特徴とする請求項１または請求項２記載の照明装置。
【請求項４】
上記照明負荷による照明範囲よりも上記人感センサの検知エリアを狭く設定したことを特徴とする請求項１ないし請求項３のいずれかに記載の照明装置。
【請求項５】
照明負荷と、照明負荷による照明範囲内にそれぞれ設定された検知エリア内の人の存否を検出する複数個の人感センサと、別に設けたリモコン送信器からのワイヤレス信号による操作情報の受付の可否を各人感センサの出力に基づく各検知エリアでの人の存否の組み合わせに応じて決定する制御部とを備えることを特徴とする照明装置。
【請求項６】
上記リモコン送信器は複数種類の操作情報を伝送可能であって、上記制御部は、操作情報の種類を判別する操作情報判別手段を備え、各人感センサの出力に基づく各検知エリアでの人の存否の組み合わせに応じて、受信したワイヤレス信号に含まれる操作情報のうち受付可能な操作情報を異ならせることを特徴とする請求項５記載の照明装置。
【請求項７】
上記照明負荷と上記人感センサと上記制御部とは１つの器具本体に取り付けられていることを特徴とする請求項１ないし請求項６のいずれかに記載の照明装置。
【発明の詳細な説明】
【０００１】
【発明の属する技術分野】
本発明は、リモコン送信器から送信されたワイヤレス信号により照明負荷の点灯状態の切り換えや各種設定・制御を可能とした照明装置に関するものである。
【０００２】
【従来の技術】
最近では、リモコン送信器を操作し赤外線を伝送媒体とするワイヤレス信号を伝送することによって照明負荷の点灯状態を切り換えるようにした照明装置が普及してきている。この種の照明装置に用いる照明器具は、ワイヤレス信号を受信するための受信部を器具本体に備えていることが多い。
【０００３】
ところで、この種の照明器具をオフィスなどで用いるときには、複数台の照明器具が近接して天井などに設置されることになる。このように複数台の照明器具が近接して配置されている状態で、ワイヤレス信号により特定の照明器具の点灯状態を選択的に切り換えるには、ワイヤレス信号を所望の照明器具に選択的に到達させることが必要である。ワイヤレス信号を所望の照明器具に選択的に到達させる技術としては、各照明器具ごとにワイヤレス信号の送受可能な範囲を制限するような光学設計を行う技術と、照明器具側にチャンネルを設定しておきワイヤレス信号によってチャンネルを指定することにより所望の照明器具でのみワイヤレス信号の指示を受け付けるようにする技術とがある。
【０００４】
たとえば、前者のような光学設計による技術としては、特開平９−１０６７０６号公報に記載されているように、ワイヤレス送信器から送出するワイヤレス信号のビームの広がり角度を狭くするものもある。
【０００５】
【発明が解決しようとする課題】
しかしながら、上述のようにワイヤレス信号のビームの広がり角度を狭くするような光学設計を行ったとしても、壁などでの反射によってワイヤレス信号が所望の照明器具以外の照明器具に回り込むことがあり、不必要な照明器具が誤って動作することがある。このようなワイヤレス信号の回り込みによる誤動作を光学的に解決しようとすれば、ワイヤレス信号の送信や受信に関わる光学素子に特殊なものが必要になりコスト高につながる。
【０００６】
一方、チャンネルを設定すればこの種の誤動作は回避されるが、照明器具の接地の際に各照明器具にチャンネルを設定することになり、施工作業が面倒になるという問題がある。
【０００７】
本発明は上記事由に鑑みて為されたものであり、その目的は、光学設計を特殊なものにしたりチャンネルの設定を行うことなくワイヤレス信号による指示で所望の照明負荷のみ点灯・消灯させることを可能とした照明装置を提供することにある。
【０００８】
【課題を解決するための手段】
請求項１の発明は、照明負荷と、照明負荷による照明範囲内に設定された検知エリア内の人の存否を検出する人感センサと、別に設けたリモコン送信器からワイヤレス信号により伝送される少なくとも照明負荷の点灯・消灯を指示する操作情報を上記人感センサの出力に基づいて上記検知エリア内に人が存在すると判断される期間に受付可能とする制御部とを備えるものである。この構成によれば、人感センサの検知エリア内に人が存在すると判断される期間に、リモコン送信器からのワイヤレス信号による照明負荷の点灯・消灯を指示する操作情報を受付可能としているから、複数の照明負荷が存在している場合に人感センサにより人の存在が検出されていなければ、その人感センサに対応した照明負荷は点灯・消灯などの指示を受け付けることができず、結果的に不必要な照明負荷を誤って点灯・消灯させるのを防止することができる。しかも、ワイヤレス信号のビームの広がり角度を狭くするような光学設計が不要であるとともに、チャンネルの設定も不要であるから、比較的低コストで提供でき、かつ施工作業が容易になる。
【０００９】
請求項２の発明は、照明負荷と、照明負荷による照明範囲内に設定された検知エリア内の人の存否を検出する人感センサと、別に設けたリモコン送信器からワイヤレス信号により伝送される複数種類の操作情報を判別する操作情報判別手段を備え少なくとも照明負荷の点灯・消灯を指示する操作情報を含む一部の操作情報を上記人感センサの出力に基づいて上記検知エリアに人が存在すると判断される期間に受付可能とする制御部とを備え、制御部は操作情報判別手段で規定した残りの操作情報を人感センサの出力とは無関係に受け付けるものである。この構成によれば、人感センサの検知エリア内に人が存在すると判断される期間に、リモコン送信器からのワイヤレス信号による照明負荷の点灯・消灯を指示する操作情報を受付可能としているから、複数の照明負荷が存在している場合に人感センサにより人の存在が検出されていなければ、その人感センサに対応した照明負荷は点灯・消灯の指示を受け付けることができず、結果的に不必要な照明負荷を誤って点灯・消灯させるのを防止することができる。しかも、ワイヤレス信号のビームの広がり角度を狭くするような光学設計が不要であるとともに、チャンネルの設定も不要であるから、比較的低コストで提供でき、かつ施工作業が容易になる。さらに、リモコン送信器から伝送される操作情報の種類を判別し、操作情報の種類によっては人感センサの出力とは無関係に受付可能としているから、たとえば複数個の照明負荷を一括して点灯・消灯させる操作情報については人感センサの出力とは無関係に受付可能としておけば、室内の全部の照明負荷を一括して点灯・消灯させることが可能になり使い勝手がよい。
【００１０】
請求項３の発明は、請求項１または請求項２の発明において、上記制御部が、上記人感センサの出力に基づいて人が検知エリアに存在しなくなったと判断される時点から一定の受付可能期間を時限する受付タイマを備え、上記人感センサの出力に基づいて上記検知エリアに人が存在すると判断される期間に加えて上記受付可能期間にも上記操作情報を受付可能とするものである。この構成によれば、人感センサで人の存在が検出されなくなった後も受付タイマで時限された受付可能期間内は操作情報の受付が可能であるから、たとえば人が人感センサの検知エリアの外に出てから照明負荷を消灯させるようなことが可能になり、使い勝手がより向上する。
【００１１】
請求項４の発明は、請求項１ないし請求項３のいずれかの発明において、上記照明負荷による照明範囲よりも上記人感センサの検知エリアを狭く設定したものである。この構成では、照明負荷による照明範囲外からはワイヤレス信号によって照明負荷を個別に点灯・消灯させることができず、人の存在しない場所を照明範囲とする照明負荷を点灯させることによる電力の無駄を低減することができ、また照明範囲内に人が存在している場合でも照明負荷を個別に点灯・消灯させる指示を受け付けるのは特定の範囲内に人が存在するときに制限されるから、複数個の照明負荷が存在する場合に誤って隣接する照明負荷を点灯・消灯させる可能性が少なくなる。
【００１２】
請求項５の発明は、照明負荷と、照明負荷による照明範囲内にそれぞれ設定された検知エリア内の人の存否を検出する複数個の人感センサと、別に設けたリモコン送信器からのワイヤレス信号による操作情報の受付の可否を各人感センサの出力に基づく各検知エリアでの人の存否の組み合わせに応じて決定する制御部とを備えるものである。この構成によれば、複数個の人感センサを設けることによって照明負荷の照明範囲内に複数の検知エリアを設定することができ、特定の検知エリアに人が存在するときにリモコン送信器からの操作情報の受付を可能とすることができるから、複数の照明負荷が存在している場合でも不必要な照明負荷が誤って操作情報を受け取ることがなく、たとえば隣接する照明負荷を誤って点灯・消灯させるのを防止することができる。しかも、ワイヤレス信号のビームの広がり角度を狭くするような光学設計が不要であるとともに、チャンネルの設定も不要であるから、比較的低コストで提供でき、かつ施工作業が容易になる。
【００１３】
請求項６の発明は、請求項５の発明において、上記リモコン送信器が複数種類の操作情報を伝送可能であって、上記制御部が、操作情報の種類を判別する操作情報判別手段を備え、各人感センサの出力に基づく各検知エリアでの人の存否の組み合わせに応じて、受信したワイヤレス信号に含まれる操作情報のうち受付可能な操作情報を異ならせるものである。この構成によれば、複数個の人感センサによる検知エリアの組み合わせにより設定される複数個のエリアのうち、どのエリアに人が存在するかに応じて、異なる操作情報を受付可能としているから、たとえば特定のエリアに人が存在するときには、照明負荷を個別に点灯・消灯させ、また別のエリアに人が存在するときには複数の照明負荷を一括して点灯させるなどの操作が可能になる。
【００１４】
請求項７の発明は、請求項１ないし請求項６の発明において、上記照明負荷と上記人感センサと上記制御部とは１つの器具本体に取り付けられているものである。この構成によれば、照明負荷と人感センサと制御部とが１つの器具本体に取り付けられているので、器具本体を天井などに設置すれば上述した各種機能を実現することができ、設置施工が容易になる。
【００１５】
【発明の実施の形態】
以下、本発明の実施の形態を図面に基づいて説明する。
【００１６】
（実施形態１）
本実施形態の照明装置は、図１に示すように、照明負荷１１を備える照明器具１と、照明負荷１１の点灯・消灯などの指示を赤外線を伝送媒体とするワイヤレス信号によって与えるリモコン送信器２とにより構成される。
【００１７】
照明器具１はマイコンを主構成とする制御部１５を備え、制御部１５は照明負荷１１が接続された調光回路１６に指示を与えることによって照明負荷１１の点灯・消灯あるいは調光の制御を行う。調光回路１６は、調光レベルを段階的に設定する（段調光という）ものと連続的に設定する（連続調光という）ものとのどちらを用いてもよい。すなわち、制御部１５には点灯照度設定部１７が設けられ、調光レベルが点灯照度設定部１７から調光回路１６に指示される。また、制御部１５には、リモコン送信器２からのワイヤレス信号を受信する受信部１３が接続され、制御部１５ではワイヤレス信号により与えられた指示内容を解読する。
【００１８】
一方、リモコン送信器２は、制御部１５に各種の指示を与える操作を行う押釦スイッチなどからなる操作部２１を備え、操作部２１の操作に応じた操作情報を信号生成部２２で所定の形態の信号列に変換し、この信号列を送信部２３からワイヤレス信号として送出するように構成されている。操作情報としては、少なくとも照明負荷１１の点灯状態（点灯・消灯・調光）を変更する指示が可能であればよいが、後述する各種設定を変更する指示を操作情報としてワイヤレス信号により伝送してもよい。
【００１９】
ところで、照明器具１には照明負荷１１による照明範囲内に検知エリアを設定し、検知エリア内の人の存否を検出する人感センサ１２が設けられている。人感センサ１２には、たとえば焦電形赤外線センサにより人体から放射される熱線を検出するものが用いられる。本実施形態では、人感センサ１２により検知エリア内の人の存在が検知されている期間、および人感センサ１２により人が検知されなくなった後の一定時間として設定された点灯保持時間は検知エリア内に人が存在すると判断する。点灯保持時間は制御部１５に設けた照明タイマ１８により時限されており、照明タイマ１８は再トリガ可能に構成されている。しかして、点灯保持時間を設定しておくことにより、検知エリアに人が存在しているにもかかわらず人感センサ１２で一時的に人が検出されない状態が生じても、連続的に人の存在が検出されているとみなすことが可能になる。
【００２０】
また、制御部１５には人感センサ１２の出力に基づいて人が検知エリアに存在しなくなったと判断された時点からの一定時間として点灯保持時間とは別に設定された受付可能期間を時限する受付タイマ１９も備えている。
【００２１】
さらにまた、制御部１５にはＣｄＳのような光電素子を用いた明るさセンサ１４が接続されており、明るさセンサ１４により周囲照度を検出している。一般に照明負荷１１は周囲照度が低いときに点灯させるものであるから、明るさセンサ１４により周囲照度を監視し、制御部１５では周囲照度が規定値よりも高いときには照明負荷１１を強制的に消灯状態に保つように制御する。
【００２２】
ところで、本実施形態では、人感センサ１２の出力に基づいて人が検知エリアに存在すると判断される期間（つまり、人感センサ１２により人が検出されている期間と照明タイマ１８により点灯保持時間が時限されている期間）と、受付タイマ１９により受付可能期間が時限されている期間において、リモコン送信器２からのワイヤレス信号による操作情報の受付を許可するように構成されている。逆に言えば、これらの期間以外にはワイヤレス信号による操作情報を受け付けないようになっている。したがって、複数台の照明器具１が隣接して配列されていても人感センサ１２により人が検出されなければ（つまり、人が検出されてから受付可能期間が終了するまでの期間でなければ）、ワイヤレス信号による操作情報は受け付けられず、結果的に照明負荷１１の点灯・消灯・調光などの点灯状態の変更が行われないことになる。つまり、不必要な照明負荷１１を点灯させたり、点灯させておきたい照明負荷１１を誤って消灯させたりするというような誤操作を防止することができる。
【００２３】
このように、人感センサ１２での人の検出の有無に応じて照明負荷１１の点灯状態を変更可能としているから、人感センサ１２の検知エリアは、照明負荷１１による照明範囲と一致させるか、照明範囲よりも狭く設定しておく。とくに、照明範囲よりも検知エリアを狭く設定しておけば、照明範囲外から照明負荷１１を点灯させる操作ができないから、誤操作の可能性を一層低減することができる。
【００２４】
なお、点灯照度設定部１７に設定される調光レベル、照明タイマ１８により時限する点灯保持時間、受付タイマ１９により時限される受付可能期間をリモコン送信器２からのワイヤレス信号により設定可能としてもよく、このようなワイヤレス信号についても人感センサ１２により人が検出されなければ、制御部１５で受け付けることがないから、他の照明器具１への誤設定を防止することができる。このように、チャンネルを用いることなく各照明器具１に選択的にワイヤレス信号を伝送することができるのであり、しかもリモコン送信器２からのワイヤレス信号のビームの広がり角度を狭くする必要がなく光学設計も容易である。
【００２５】
本実施形態では、照明器具１として、照明負荷１１と人感センサ１２と受信部１３と明るさセンサ１４と制御部１５と調光回路１６とを１つの器具本体（図示せず）に取り付けて一体化しているので、照明器具１を天井などに設置施工するだけで、照明負荷１１だけでなく人感センサ１２、受信部１３、明るさセンサ１４も設置施工することができ、施工作業が容易になる。
【００２６】
次に、本実施形態の照明装置の使用例を図２を用いて説明する。図２では２台の照明器具１ａ、１ｂを天井３に隣接して配置してある。両照明器具１ａ，１ｂは図１に示した照明器具１と同構成を有するものであって、人感センサ１２および受信部１３は照明器具１ａ，１ｂの下面に設けてある。図２では各照明器具１ａ，１ｂの検知エリアをそれぞれＡａ，Ａｂとして示してある。
【００２７】
ここで、リモコン送信器２が検知エリアＡａに存在する操作者５により操作されるとすると、図示する位置ではリモコン送信器２からのワイヤレス信号は両照明器具１ａ，１ｂで受信可能となる。ここで、操作者５は検知エリアＡａに存在しているから、上述した制御部１５の動作によって照明器具１ａにおいてのみワイヤレス信号が受付可能となる。つまり、隣接して配置された２台の照明器具１ａ，１ｂのうち人感センサ１２により操作者５を検出している照明器具１ａでのみワイヤレス信号による操作情報を受け付けることが可能になり、操作情報が照明器具１ｂに伝送されることによる誤操作が防止されるのである。このようにして、照明負荷１ａのみの点灯状態を変更したり、点灯照度設定部１７、照明タイマ１８、受付タイマ１９の設定を変更したりすることが可能になる。
【００２８】
ここで、人感センサ１２の検知エリアＡを照明負荷１１による照明範囲よりも狭く設定する各種例を図３に示す。ただし、図示例では受信部１３を器具本体１から分離してある。図３（ａ）は照明器具１の直下を中心として照明範囲よりも狭い範囲で検知エリアＡを設定したものである。この設定では複数個の照明器具１が近接して配置されていても人感センサ１２の検知エリアＡが重複するのを確実に防止することができ、各照明負荷１にワイヤレス信号を各別に受け付けさせることができる。また、図３（ｂ）は受信部１３の直下を中心として照明範囲よりも狭い範囲で検知エリアＡを設定したものである。この設定ではリモコン送信器２と受信部１３との距離が比較的近い状態でワイヤレス信号が伝送されるから、検知エリアＡを狭くしていることとあいまって、所望の照明器具１に確実にワイヤレス信号を受け付けさせることができる。さらに、図３（ｃ）は人感センサ１２の検知エリアＡを天井３から所定距離Ｈの範囲に設定したものであり、床付近にペットなどがいたとしても誤検出することがなく、操作者５が立った状態でリモコン送信器２を操作するときにのみワイヤレス信号が受け付けられるようにすることが可能になり誤操作が防止される。このように図３に示した検知エリアＡの設定例を目的に応じて適宜に採用すれば、誤操作の可能性を一層低減することができる。
【００２９】
（実施形態２）
本実施形態は、リモコン送信器２から複数種類の操作情報が送出可能であって、図４に示すように、各操作情報の種類を判別する操作情報判別手段としての制御信号判別部２０が照明器具１の制御部１５に設けられているものである。他の構成は実施形態１と同様である。
【００３０】
実施形態１では人感センサ１２が検知エリア内の人の存在を検出している期間および受付タイマ１９により時限されている受付可能期間に、リモコン送信器２からのワイヤレス信号を受け付けるように構成していたが、操作情報の種類によっては人感センサ１２での人の検知にかかわりなくワイヤレス信号を受け付けることが要求されることもある。たとえば、室内に配置された複数の照明負荷１１を一括して点灯・消灯させる操作情報は、人感センサ１２により人が検出されなくても受け付けることが要求される。そこで、本実施形態では、制御信号判別部２０を設け、人感センサ１２により人が検出されているときに受付可能とする操作情報と人感センサ１２による人の検知とは無関係に受付可能とする操作情報とを判別している。
【００３１】
上述の構成を用いると、各制御部１５に個別に指示を与える操作情報と、複数の制御部１５に一括して指示を与える操作情報とをリモコン送信器２から送出することになる。つまり、実施形態１と同様に２台の照明器具１ａ，１ｂ（図２参照）を近接して配置し、照明器具１ａに設けた人感センサ１２で操作者５が検出されているとすれば、前者の操作情報は照明器具１ａでのみ受付可能となり、後者の操作情報は両方の照明器具１ａ，１ｂで受付可能となるのである。他の構成および動作は実施形態１と同様である。
【００３２】
（実施形態３）
本実施形態は、図５に示すように、実施形態１の構成に人感センサ２４を付加した構成を有する。人感センサ２４は検知エリアを人感センサ１２とは異ならせてあり、制御部１５は人感センサ２４による人の検出の有無に応じてリモコン送信器２からのワイヤレス信号とは無関係に照明負荷１１を点灯・消灯させる。
【００３３】
本実施形態は、たとえば以下のように使用することができる。いま、図５に示した照明器具１と同構成の２台の照明器具１ａ，１ｂを図６のように近接して天井３に配置し、人感センサ２４の検知エリアＡ２ａ，Ａ２ｂを床に達する範囲で設定し、人感センサ１２の検知エリアＡ１ａ，Ａ１ｂを床よりも高い所定範囲で設定するものとする。ここで、図示例では両検知エリアＡ２ａ，Ａ２ｂに人５，５’が存在しているから、両照明器具１ａ，１ｂの照明負荷１１が点灯する。リモコン送信器２からのワイヤレス信号を照明器具１ａ，１ｂで受付可能とするには、人感センサ１２の検知エリアＡ１ａ，Ａ１ｂに人が存在することが必要である。そこで、照明器具１ａの照明範囲に存在する人（操作者）５がリモコン送信器２を用いて照度を変更するには、検知エリアＡ１ａに入るように立ち上がればよい。この状態では、検知エリアＡ１ｂにおいて人が検出されていないから、リモコン送信器２からのワイヤレス信号によって照明器具１ｂの点灯状態が変更されることはない。
【００３４】
上述の構成によって、照明器具１ａ，１ｂの照明範囲内での人の存否に応じて照明負荷１１の点灯・消灯を行うことと、各照明器具１ａ，１ｂでリモコン送信器２からのワイヤレス信号を選択的に受付可能とすることとの両方が可能になるのである。なお、上述した使用例は一例であって、人感センサの個数は２個に限定されるものではなく、また各人感センサに対する制御部１５の動作や検知エリアの設定についてもとくに限定されるものではない。他の構成および動作は実施形態１と同様である。
【００３５】
（実施形態４）
本実施形態は、図７に示すように、２個の人感センサ１２，２４を備え、さらには実施形態２と同様に制御信号判別部２０を制御部１５に設けているものである。両人感センサ１２，２４は検知エリアを異ならせてある。また、実施形態２と同様にリモコン送信器２では複数種類の操作情報をワイヤレス信号として送出可能であって、制御信号判別部２０では操作情報の種類を判別している。
【００３６】
ところで、実施形態２では操作情報を２種類に分けて判別していたが、本実施形態では、人感センサ１２，２４による人の検出の有無の組み合わせに対応付けて、受付可能な操作情報（信号群）を４種類に分けて判別している。つまり、２個の人感センサ１２，２４を備えることによって、各１個の人感センサ１２，２４で人が検出される２状態と、両人感センサ１２，２４がともに人を検出しない状態と、両人感センサ１２，２４がともに人を検出する状態との４状態が生じるから、これらの４状態に対応付けて操作情報の種類を判別するのである。
【００３７】
上述の関係を示すと表１のようになる。つまり、リモコン送信器２からは操作情報として４種類の制御信号群α，β，γ，δがワイヤレス信号により送出される。一方、制御部１５は、各人感センサ１２，２４が人を検出しているか（○で表す）、人感センサが人を検出していないか（×で表す）に応じて、どの制御信号群α，β，γ，δを受付可能とするかを決定するのである。
【００３８】
【表１】
0003719019.tif 000002
【００３９】
本実施形態の使用例を図８ないし図１１に基づいて説明する。図示例では図７に示した照明器具１と同構成を有する２台の照明器具１ａ，１ｂを隣接させて天井３に配置してある。また、照明器具１ａでは人感センサ１２の検知エリアＡ１ａを人感センサ２４の検知エリアＡ２ａの範囲内に設定し、照明器具１ｂでは人感センサ１２の検知エリアＡ１ｂと人感センサ２４の検知エリアＡ２ｂとがほとんど重複しないように設定してある。
【００４０】
このような設定がなされているとすると、図８に示すように操作者５がどの人感センサ１２，２４にも検出されていなければ、表１から明らかなように、制御信号群δのみが受け付けられることになる。制御信号群δは、２台の照明器具１ａ，１ｂの照明負荷１１を一括して点灯・消灯させる指示などを含む。
【００４１】
また、図９に示すように操作者５が照明器具１ａに設けた人感センサ２４の検知エリアＡ２ａに存在しているが、人感センサ１２の検知エリアＡ１ａには存在しないとき（つまり、人感センサ２４でのみ人が検出されるとき）には、制御信号群βのみが受付可能になる。この状態において照明器具１ｂは制御信号群δのみが受付可能であって制御信号群βは受け付けることができない。つまり、制御信号群βは、照明器具１ａ，１ｂに選択的に伝送されるのであり、照明負荷１１の点灯・消灯の指示、照明タイマ１８や受付タイマ１９の設定値を変更する指示などを含む。
【００４２】
図１０に示すように、操作者５が照明器具１ａに設けた人感センサ１２の検知エリアＡ１ａと人感センサ２４の検知エリアＡ２ａとの両方に存在しているときには、制御信号群γが受付可能になる。この状態も照明器具１ｂでは制御信号群γを受け付けないから、制御信号群γは照明器具１ａにのみ伝送されるのであって、たとえば調光量の変更の指示などは制御信号群γにより行うことになる。
【００４３】
図１１に示すように、照明器具１ｂの人感センサ１２の検知エリアＡ１ｂに人が存在するときには、人感センサ２４では人が検出されていないから、照明器具１ｂでは制御信号群αが受付可能になる。この制御信号群αも照明器具１ｂでのみ選択的に受付可能になる。ここに人感センサ１２の検知エリアＡ１ｂは照明器具１ｂの照明範囲の周辺部に設定してあるから、この位置で照明負荷１１の点灯・消灯を指示すれば使い勝手がよい。つまり、制御信号群αは照明負荷１１の点灯・消灯の指示を含む。他の構成および動作は実施形態２と同様である。
【００４４】
（実施形態５）
上述した各実施形態では、器具本体に照明負荷１１とともに人感センサ１２、受信部１３を取り付けて照明器具１を構成した例を示したが、本実施形態では照明負荷１１を備える照明器具１とは別に、人感センサ１２および受信部１３を設けた例を示す。すなわち、図１２に示すように、各照明負荷１１はそれぞれ端末３４に接続され、各端末３４は２線式の信号線３６を介して中央制御装置３０に対してマルチドロップ式に接続される。また、信号線３６には端末機能を備えたスイッチ３１、端末機能とともに人感センサを備えた人感センサ付端末３２、端末機能とともにワイヤレス信号の受信部を備えたリモコン受信器３３も接続される。
【００４５】
スイッチ３１、人感センサ付端末３２、リモコン受信器３３、端末３４はそれぞれ固有のアドレスを有し、中央制御装置３０は、スイッチ３１、人感センサ付端末３２、リモコン受信器３３、端末３４との間で多重伝送技術を用いてデータを授受している。また、中央制御装置３０では、スイッチ３１、人感センサ付端末３２、リモコン受信器３３、端末３４とが互いにアドレスによって対応付けられている。したがって、スイッチ３１を操作するとアドレスにより対応付けられている端末３４に操作情報が伝送され、端末３４に接続された照明負荷１１の点灯状態の制御などを行うことができる。
【００４６】
ところで、図示例では複数個（図では２個）の照明負荷１１を１つの単位としてグループＧ１，Ｇ２を形成しており、各グループＧ１，Ｇ２ごとに人感センサ付端末３２とリモコン受信器３３とをそれぞれ設けてある。中央制御装置３０は実施形態１における制御部１５の機能を有しており、各グループＧ１，Ｇ２における人感センサ付端末３２で人が検出されていると、リモコン受信器３３で受信したワイヤレス信号を受付可能とする。リモコン受信器３３で受信されたワイヤレス信号の操作情報は、信号線３６を伝送される伝送信号により中央制御装置３０に伝送され、中央制御装置３０では操作情報に応じた制御データを端末３４に伝送して照明負荷１１の点灯状態の制御などを行うのである。
【００４７】
ここで、本実施形態では各グループＧ１，Ｇ２が実施形態１の照明器具１に相当するのであって、人感センサ付端末３３により人が検出されているグループＧ１，Ｇ２のリモコン受信器３２のみがワイヤレス信号の受付を行う。また、照明負荷１１の点灯状態の制御などはグループＧ１，Ｇ２を単位として行われ、グループＧ１，Ｇ２の中の複数個の照明負荷１１は一括して制御される。本実施形態は多重伝送技術を用いた点を除けば、構成および動作は基本的に実施形態１と同様である。
【００４８】
なお、上述した各実施形態では、１つの制御部１５を１つの照明器具１に対応付けているが、それぞれ照明負荷１１を備えた複数個の照明器具１に対して１つの制御部１５を共用して設けてもよい。この場合、人感センサ１２、受信部１３、明るさセンサ１４、制御部１５は照明器具１とは別体に設けられることになる。また、人感センサ１２としては、人体から放射される熱線を検知する焦電型赤外線センサ、超音波の送受波により距離の変化を検出して人の存否を判断する超音波センサ、光を投受光し受光量の変化によって人の存否を判断する光電センサなどを用いることができる。
【００４９】
【発明の効果】
請求項１の発明は、照明負荷と、照明負荷による照明範囲内に設定された検知エリア内の人の存否を検出する人感センサと、別に設けたリモコン送信器からワイヤレス信号により伝送される少なくとも照明負荷の点灯・消灯を指示する操作情報を人感センサの出力に基づいて検知エリア内に人が存在すると判断される期間に受付可能とする制御部とを備えるものであり、人感センサの検知エリア内に人が存在すると判断される期間に、リモコン送信器からのワイヤレス信号による照明負荷の点灯・消灯を指示する操作情報を受付可能としているから、複数の照明負荷が存在している場合に人感センサにより人の存在が検出されていなければ、その人感センサに対応した照明負荷は点灯・消灯などの指示を受け付けることができず、結果的に不必要な照明負荷を誤って点灯・消灯させるのを防止することができるという利点がある。しかも、ワイヤレス信号のビームの広がり角度を狭くするような光学設計が不要であるとともに、チャンネルの設定も不要であるから、比較的低コストで提供でき、かつ施工作業が容易になるという効果がある。
【００５０】
請求項２の発明は、照明負荷と、照明負荷による照明範囲内に設定された検知エリア内の人の存否を検出する人感センサと、別に設けたリモコン送信器からワイヤレス信号により伝送される複数種類の操作情報を判別する操作情報判別手段を備え少なくとも照明負荷の点灯・消灯を指示する操作情報を含む一部の操作情報を人感センサの出力に基づいて検知エリアに人が存在すると判断される期間に受付可能とする制御部とを備え、制御部は操作情報判別手段で規定した残りの操作情報を人感センサの出力とは無関係に受け付けるものであり、人感センサの検知エリア内に人が存在すると判断される期間に、リモコン送信器からのワイヤレス信号による照明負荷の点灯・消灯を指示する操作情報を受付可能としているから、複数の照明負荷が存在している場合に人感センサにより人の存在が検出されていなければ、その人感センサに対応した照明負荷は点灯・消灯の指示を受け付けることができず、結果的に不必要な照明負荷を誤って点灯・消灯させるのを防止することができるという効果がある。しかも、ワイヤレス信号のビームの広がり角度を狭くするような光学設計が不要であるとともに、チャンネルの設定も不要であるから、比較的低コストで提供でき、かつ施工作業が容易になる。さらに、リモコン送信器から伝送される操作情報の種類を判別し、操作情報の種類によっては人感センサの出力とは無関係に受付可能としているから、たとえば複数個の照明負荷を一括して点灯・消灯させる操作情報については人感センサの出力とは無関係に受付可能としておけば、室内の全部の照明負荷を一括して点灯・消灯させることが可能になり使い勝手がよいという効果もある。
【００５１】
請求項３の発明は、請求項１または請求項２の発明において、制御部が、人感センサの出力に基づいて人が検知エリアに存在しなくなったと判断される時点から一定の受付可能期間を時限する受付タイマを備え、人感センサの出力に基づいて検知エリアに人が存在すると判断される期間に加えて受付可能期間にも操作情報を受付可能とするものであり、人感センサで人の存在が検出されなくなった後も受付タイマで時限された受付可能期間内は操作情報の受付が可能であるから、たとえば人が人感センサの検知エリアの外に出てから照明負荷を消灯させるようなことが可能になり、使い勝手がより向上するという効果がある。
【００５２】
請求項４の発明は、請求項１ないし請求項３のいずれかの発明において、照明負荷による照明範囲よりも人感センサの検知エリアを狭く設定したものであり、照明負荷による照明範囲外からはワイヤレス信号によって照明負荷を個別に点灯・消灯させることができず、人の存在しない場所を照明範囲とする照明負荷を点灯させることによる電力の無駄を低減することができ、また照明範囲内に人が存在している場合でも照明負荷を個別に点灯・消灯させる指示を受け付けるのは特定の範囲内に人が存在するときに制限されるから、複数個の照明負荷が存在する場合に誤って隣接する照明負荷を点灯・消灯させる可能性が少なくなるという効果がある。
【００５３】
請求項５の発明は、照明負荷と、照明負荷による照明範囲内にそれぞれ設定された検知エリア内の人の存否を検出する複数個の人感センサと、別に設けたリモコン送信器からのワイヤレス信号による操作情報の受付の可否を各人感センサの出力に基づく各検知エリアでの人の存否の組み合わせに応じて決定する制御部とを備えるものであり、複数個の人感センサを設けることによって照明負荷の照明範囲内に複数の検知エリアを設定することができ、特定の検知エリアに人が存在するときにリモコン送信器からの操作情報の受付を可能とすることができるから、複数の照明負荷が存在している場合でも不必要な照明負荷が誤って操作情報を受け取ることがなく、たとえば隣接する照明負荷を誤って点灯・消灯させるのを防止することができるという効果がある。しかも、ワイヤレス信号のビームの広がり角度を狭くするような光学設計が不要であるとともに、チャンネルの設定も不要であるから、比較的低コストで提供でき、かつ施工作業が容易になるという効果がある。
【００５４】
請求項６の発明は、請求項５の発明において、リモコン送信器が複数種類の操作情報を伝送可能であって、制御部が、操作情報の種類を判別する操作情報判別手段を備え、各人感センサの出力に基づく各検知エリアでの人の存否の組み合わせに応じて、受信したワイヤレス信号に含まれる操作情報のうち受付可能な操作情報を異ならせるものであり、複数個の人感センサによる検知エリアの組み合わせにより設定される複数個のエリアのうち、どのエリアに人が存在するかに応じて、異なる操作情報を受付可能としているから、たとえば特定のエリアに人が存在するときには、照明負荷を個別に点灯・消灯させ、また別のエリアに人が存在するときには複数の照明負荷を一括して点灯させるなどの操作が可能になるという利点がある。
【００５５】
請求項７の発明は、請求項１ないし請求項６の発明において、照明負荷と人感センサと制御部とは１つの器具本体に取り付けられているものであり、照明負荷と人感センサと制御部とが１つの器具本体に取り付けられているので、器具本体を天井などに設置すれば上述した各種機能を実現することができ、設置施工が容易になるという利点がある。
【図面の簡単な説明】
【図１】本発明の実施形態１を示すブロック図である。
【図２】同上の使用例を示す動作説明図である。
【図３】同上の使用例を示す動作説明図である。
【図４】本発明の実施形態２を示すブロック図である。
【図５】本発明の実施形態３を示すブロック図である。
【図６】同上の使用例を示す動作説明図である。
【図７】本発明の実施形態４を示すブロック図である。
【図８】同上の使用例を示す動作説明図である。
【図９】同上の使用例を示す動作説明図である。
【図１０】同上の使用例を示す動作説明図である。
【図１１】同上の使用例を示す動作説明図である。
【図１２】本発明の実施形態５を示すブロック図である。
【符号の説明】
１    照明器具
２    リモコン送信器
１１    照明負荷
１２，２４    人感センサ
１３    受信部
１４    明るさセンサ
１５    制御部
１６    調光回路
１７    点灯照度設定部
１８    照明タイマ
１９    受付タイマ
２０    制御信号判別部
２１    操作部
【図１】
0003719019.tif 000003
【図２】
0003719019.tif 000004
【図３】
0003719019.tif 000005
【図４】
0003719019.tif 000006
【図５】
0003719019.tif 000007
【図６】
0003719019.tif 000008
【図７】
0003719019.tif 000009
【図８】
0003719019.tif 000010
【図９】
0003719019.tif 000011
【図１０】
0003719019.tif 000012
【図１１】
0003719019.tif 000013
【図１２】
0003719019.tif 000014